(57)【要約】【課題】  一台で空気清浄機能と照明機能を備え、薄型で、コンパクトな天井取付け型の空気清浄機能付き照明器具を提供することにある。【解決手段】  天井に取り付け又は吊り下げ可能であり、空気清浄機能と照明器具を備えた空気清浄機能付き照明器具である。上シェードと、透光性ある下シェードと、ベースと、ベース側治具と、天井に取り付け又は吊り下げ可能な天井側治具と、ファンと、ファンを駆動するモータと、リング状のＬＥＤモジュールと、リング状のフィルター及びリモコンセンサーを備え、上シェードと下シェードは内部に収容空間を備えたドーナツ形状であり、ベースと、ベース側治具と、モータと、ファンと、ＬＥＤモジュールの全てを上シェードと下シェードの収容空間に配置して、薄型化した。【選択図】    図１
2020004664.tif 000002
【特許請求の範囲】
【請求項１】
天井に取り付け又は吊り下げ可能であり、空気清浄機能と照明器具を備えた、空気清浄機能付き照明器具において、
少なくとも、上シェードと、透光性のある下シェードと、ベースと、ベース側治具と、天井に取り付け又は吊り下げ可能な天井側治具と、ファンと、ファンを駆動させるモータと、リング状のＬＥＤモジュールと、リング状のフィルター及びリモコンセンサーを備え、
上シェードは上部に上貫通口があり、内部に収容空間があり、下面が開口しており、
下シェードは底部に下貫通口があり、内部に収容空間があり、上面が開口しており、
ベースには上方に突出する凸部と排気路があり、
天井側治具はベース側治具に取り付けられており、
前記ベースの凸部の裏側凹部内にファンが配置固定され、
前記ファンの内側にモータが配置固定され、
前記ベースの底面側にリング状のＬＥＤモジュールが配置され、
前記ファンの下方にフィルターが配置固定され、
前記下シェードが前記上シェードの下から当該上シェードに対向配置されて、前記ベース、ベース側治具、ファン、モータ、ＬＥＤモジュール、フィルターが上シェードの収容空間と下シェードの収容空間に収まって被覆され、
前記下シェードの下貫通口がフィルターカバーで被覆され、
当該フィルターカバーに空気取り入れ口があり、
前記した上シェードと下シェードの外周部間から外側にベースの排気路の出口が露出しており、
前記フィルターカバーの中央部又は略中央部に前記リモコンセンサーを備えた、
ことを特徴とする空気清浄機能付き照明器具。
【請求項２】
請求項１記載の空気清浄機能付き照明器具において、
フィルターが空気取り入れ口側から上方に二層以上設けられた、
ことを特徴とする空気清浄機能付き照明器具。
【請求項３】
請求項１又は請求項２記載の空気清浄機能付き照明器具において、
排気路の出口がファンの外周であって、ベースの周方向数箇所に開口されている、
ことを特徴とする空気清浄機能付き照明器具。
【請求項４】
請求項１から請求項３のいずれか１項に記載の空気清浄機能付き照明器具において、
リモコンセンサーがフィルターカバーの内側に配置固定された、
ことを特徴とする空気清浄機能付き照明器具。
【請求項５】
請求項１から請求項４のいずれか１項に記載の空気清浄機能付き照明器具において、
空気取り入れ口がフィルターカバーの中央部又は略中央部に多数開口されている、
ことを特徴とする空気清浄機能付き照明器具。
【請求項６】
請求項１から請求項５のいずれか１項に記載の空気清浄機能付き照明器具において、
ファンがターボファンである、
ことを特徴とする空気清浄機能付き照明器具。
【請求項７】
請求項１から請求項６のいずれか１項に記載の空気清浄機能付き照明器具において、
ベース側に、少なくとも、上シェード、ファン、モータ、ＬＥＤモジュールを取り付け可能である、
ことを特徴とする空気清浄機能付き照明器具。
【請求項８】
請求項１から請求項７のいずれか１項に記載の空気清浄機能付き照明器具において、
ファンはリング状のフレームの内側に羽根があり、羽根の内側に収容空間があり、ベースの凸部の裏側の収容凹部内に配置固定されている。
ことを特徴とする空気清浄機能付き照明器具。
【請求項９】
請求項８記載の空気清浄機能付き照明器具において、
モータはファンの収容空間内に配置固定されている、
ことを特徴とする空気清浄機能付き照明器具。
【発明の詳細な説明】
【技術分野】
【０００１】
本発明は天井に取り付け或いは吊り下げ可能（以下「天井取付け型」という。）であって、空気清浄機能を備えた照明器具（シーリングライト）に関するものである。
【背景技術】
【０００２】
空気清浄機能付き照明器具の公知文献として特許文献１〜３がある。
【先行技術文献】
【特許文献】
【０００３】
【特許文献１】特開２０１３−１９４９６５号公報
【特許文献２】特開２０１３−１９６８６９号公報
【特許文献３】特開２００６−２５８３６２号公報
【発明の概要】
【発明が解決しようとする課題】
【０００４】
特許文献１〜３の天井取付け型の照明器具は、一台で空気清浄機能と照明機能の双方を備えるため、天井に取り付けたり、吊り下げたりしても場所を取らないという利点がある。
【０００５】
本発明は一台で空気清浄機能と照明機能を備え、薄型で、コンパクトな天井取付け型の空気清浄機能付き照明器具を提供することにある。
【課題を解決するための手段】
【０００６】
本発明の空気清浄機能付き照明装置は、少なくとも、上シェードと、透光性のある下シェードと、ベースと、ベース板と、天井に取り付け又は吊り下げ可能な天井側治具と、ファンと、ファンを駆動するモータと、リング状のＬＥＤモジュールと、リング状のフィルターと、リモコンセンサーを備えている。ベースは円盤状であり、中央部に上方に突出して内側が窪んでいる凸部があり、凸部の外側に外周部があり、外周部の周方向数箇所に排気路がある。ベース板は上方に突出するベース側治具を備えており、ベース側治具はベースの凸部の上に被せることのできる形状及びサイズである。上シェードは上部に上貫通口があり、内部に上方に突出する収容空間があり、下面が開口している笠状である。下シェードは上面が開口しており、内部に収容空間があり、底部に下貫通口がある。天井側治具は上シェードの上貫通口から上シェード内に差し込まれてベース側治具に固定されている。ファンはリング状のフレームの内側に羽根があり、羽根の内側に収容空間があり、ベースの凸部の裏面側凹部内に配置固定されている。モータはファンの収容空間内に配置固定されている。ＬＥＤモジュールは前記ファンよりも下方であってベースの下面に取り付けられている。フィルターはファンの下方に配置固定されている。前記ベース、ベース側治具、ファン、モータ、ＬＥＤモジュール、フィルターは、上シェードの収容空間内とその下から上シェードに対向配置された下シェードの収容空間内に収容されて被覆されており、両シェードの外周縁の間からベースの排気路の出口が外部に露出しており、下シェードの下貫通口にフィルターカバーが配置固定されており、当該フィルターカバーに空気取り入れ口があり、前記フィルターカバーの内側に前記リモコンセンサーを備えたものである。
【発明の効果】
【０００７】
本発明の空気清浄機能付き照明装置は次のような効果がある。
（１）天井側治具により、天井への取付け又は吊り下げが可能であるため、室内の床側に設置スペースが不要になる。
（２）一つの機器で室内照明と室内の空気清浄ができるため、照明器具と空気清浄器を別々に用意する必要がない。
（３）ベース板のベース側治具が、ベースの凸部の上に被さっており、その凸部の裏面側凹部内にファンが収容配置され、そのファンの内側の収容空間内にモータが配置固定されているので、モータを配置することによるデッドスペースがなくなり、小型化、薄型化が可能となる。
（４）フィルターがファンの下方に配置されているので、ファンにより吸引された室内空気が確実にフィルターを通過して清浄化され、清浄効率向上する。
【図面の簡単な説明】
【０００８】
【図１】本発明の空気清浄機能付き照明器具の上方斜視図。
【図２】本発明の空気清浄機能付き照明器具の下方斜視図。
【図３】本発明の空気清浄機能付き照明器具の分解説明図。
【図４】本発明の空気清浄機能付き照明器具の上シェードの一例であり、（ａ）は上から見た斜視図、（ｂ）は側面図、（ｃ）は（ｂ）のＡ−Ａ断面図。
【図５】本発明の空気清浄機能付き照明器具の下シェードの一例であり、（ａ）は下から見た斜視図、（ｂ）は側面図、（ｃ）は（ｂ）のＢ−Ｂ断面図。
【図６】本発明の空気清浄機能付き照明器具を斜め上から見た説明図。
【図７】本発明の空気清浄機能付き照明器具を斜め下から見た説明図。
【図８】本発明の空気清浄機能付き照明器具の側方断面図。
【図９】本発明の空気清浄機能付き照明器具におけるファンの一例であり、（ａ）は下側から見た内面側斜視図、（ｂ）は上側から見た内面側斜視図、（ｃ）は外周面側の斜視図、（ｄ）は底面側斜視図。
【図１０】本発明の空気清浄機能付き照明器具におけるフィルターの一例であり、（ａ）は平面図、（ｂ）は（ａ）のＣ−Ｃ端面図、（ｃ）は（ａ）のフィルター本体の側面図。
【図１１】本発明の空気清浄機能付き照明器具におけるフィルターの他例の平面図。
【図１２】本発明の空気清浄機能付き照明器具におけるベース上側の概要図。
【図１３】本発明の空気清浄機能付き照明器具における天井側治具をベース側治具から外した状態の概要図。
【図１４】図１３におけるベースを透視した状態の概要図。
【図１５】図１３におけるベースを不透明にした状態の概要図。
【図１６】本発明の空気清浄機能付き照明器具におけるベースを透視した状態の下側概要図。
【図１７】本発明の空気清浄機能付き照明器具におけるベース下側概要図。
【図１８】本発明の空気清浄機能付き照明器具におけるベースの上方斜視図。
【図１９】本発明の空気清浄機能付き照明器具におけるベースの下方斜視図。
【発明を実施するための形態】
【０００９】
（実施形態）
本発明の空気清浄機能付き照明器具の実施形態の一例を図に示す。この空気清浄機能付き照明器具は、図１、図２に示す上シェード（アッパーカバー）１と下シェード２と、図３に示すベース３と、ベース板１５と、天井側治具２０と、ファンＦと、ファンＦを回転駆動するモータＭと、リング状のＬＥＤモジュール７と、シェードアダプター８と、リング状の防護ネット９と、三層のフィルター１０、１１、１２と、フィルターカバー１３と、リモコンセンサー１４を備える。三層のフィルターはリング状の第一フィルター（活性炭フィルター）１０と、リング状の第二フィルター（ＨＥＰＡフィルター）１１と、リング状の第三フィルター（プレフィルター）１２である。
【００１０】
［上シェード］
上シェード１は図１、図２のように外形（輪郭）が円形であり、図４（ａ）〜（ｃ）のように上部中央に上貫通口１ａがあり、上方に突出して内部が窪んでいる収容空間１ｂがあり、下面１ｃが開口している笠状である。上シェード１は非透光材製でも透光材製でもよい。
【００１１】
［下シェード］
下シェード２も図１、図２のように輪郭が円形であり、図５（ａ）〜（ｃ）のように上面２ａが開口しており、内部に収容空間２ｂがあり、下部中央に下貫通口２ｃがある椀状である。下シェード２は透光材製であり、透明或いは半透明である。
【００１２】
［ベース］
ベース３（図３）は剛性の樹脂製であり、略円盤状であり、図１８のように中央部に上方に突出する凸部３ａがあり、凸部３ａの内側（裏側）が図１９のように収容凹部３ｂとなっている笠状である。収容凹部３ｂの外側四箇所に、収容凹部（中央部）３ｂ側から外周に向けて凹状に窪んでいる排気路３ｃがある。ベース３は上シェード１、下シェード２、ファンＦ、モータＭ、ＬＥＤモジュール７、シェードアダプター８等を取り付けるためのものである。排気路３ｃは浄化した空気を排出するための流路（ダクト）の役割がある。
【００１３】
［ベース板］
ベース３の凸部３ａの上には方形のベース板１５（図１２、図１３）がある。ベース板１５の上面であってベース側治具１６の外側四箇所には上に突出している上方連結突起１８（図１３）と下に突出している下方連結突起１９がある。上方連結突起１８も下方連結突起１９も細幅薄板状であり、上方連結突起１８の上端にはＬ字状に曲げた上連結片１８ａがあり、下方連結突起１９の下端にはＬ字状に曲げた下連結片１９ａがある。
【００１４】
［ベース側治具］
ベース板１５の中央部には上方に突出する筒状のベース側治具１６がある。ベース側治具１６の周壁三箇所に嵌合凹部１７がある。嵌合凹部１７は溝状である。嵌合凹部１７の数は所望数とすることができる。
【００１５】
［天井側治具］
天井側治具２０（図１３）は天井に取り付け或いは吊り下げ可能なものであり、筒状の嵌合部２１と鍔２２と係止突起２３がある。係止突起２３は嵌合部２１の周方向三箇所から横向きに突設されている（図１２、図１３）。
【００１６】
［ベース側治具と天井側治具の嵌合］
嵌合部２１をベース側治具１６の内側に嵌めてから、天井側治具２０を回転させると、天井側治具２０の係止突起２３がベース側治具１６の嵌合凹部１７に嵌合係止されて、ベース側治具１６と天井側治具２０が連結し、天井側治具２０を逆回転させると天井側治具２０からベース側治具１６が離脱するようにしてある。
【００１７】
［ファン］
ファンＦ（図３）は、図９のようにリング状のフレームＦ１の内側に数枚の羽根Ｆ２が回転可能に設けてあり、羽根Ｆ２の内側に収容空間Ｆ３があり、ベース３の収容凹部３ｂ（図１９）内に配置されている。ファンＦは汎用のターボファン（図９（ａ）〜（ｄ））が適するが、他の構造のファンを使用することもできる。羽根Ｆ２はモータＭ（図３）の回転により回転して、室内の空気を吸入し、浄化した空気をベース３の排気路３ｃ（図３）に送り出すものである。
【００１８】
［モータ］
モータＭはファンＦを回転駆動するものである。モータＭはファンＦの内側に配置されてベース３に取り付けてある。モータＭには外部商用電源から給電できるようにしてある。モータＭの筐体又はモータケースの外周四箇所には外側に突出する連結金具Ｍ１（図１５）がある。この連結金具Ｍ１は細長の薄板状であり、上部にＬ字状に曲がった突当て板Ｍ２（図１５）がある。この突当て板Ｍ２が前記下方連結突起１９の下連結片１９ａ（図１５）と突き合わされて螺子止めされている。
【００１９】
［ＬＥＤモジュール］
ＬＥＤモジュール７は室内照明用であり、室内に向けて出射するようにしてある。ＬＥＤモジュール７は多数のＬＥＤが絶縁基板に取り付けられている汎用のものを使用することができる。絶縁基板はドーナツ状であり、ベース３の外周部底面に配置固定されている。ベース３は放熱性に優れたものが適する。放熱性をより高めるためには、ＬＥＤモジュール７とベース３の間に放熱用のアルミ板や他の金属製の放熱板２５（図１７）を配置するのが望ましい。図１２のように、ＬＥＤモジュール７の電源２６や制御基板２７、その他の機器はベース３に搭載することができる。
【００２０】
［シェードアダプター］
シェードアダプター８（図３）は下シェード２の内側に配置固定されるものであり、リング状であり、内部空間８ａに防護ネット９、フィルター１０、１１、１２を収容配置可能である。
【００２１】
［フィルター］
ファンＦの下方であって、シェードアダプター８の内部空間８ａ内にリング状のフィルター１０、１１、１２が配置固定されている。フィルターは上下方向に三層配置してあり、図３のように上方から下方に順に、リング状の第一のフィルター（活性炭フィルター）１０、リング状の第二のフィルター（High Efficiency Particulate Air Filter：ＨＥＰＡフィルター）１２、リング状の第三のフィルター（プレフィルター）１３である。フィルター１０、１１、１２は空気清浄用であり、二層又は四層以上であってもよく、構造、材質等も任意とすることができる。
【００２２】
フィルターの材質、構造等は特に制限されないが、ＨＥＰＡフィルター１１の一例としては図１０（ａ）に示すようなドーナツ形状のものが適する。図１０（ａ）〜（ｃ）に示すものは、帯状のフィルター本体１１ａを蛇腹折にして、図１０（ｃ）のように端面視連続山形にし、それを図１０（ａ）のように円形のリング状に曲げて両端部を突き合わせたものである。この場合、外周縁に外枠１１ｂ（図１０（ａ）（ｂ））を、内周縁に内枠１１ｃ（図１０（ａ）（ｂ））を貼り付けてある。ドーナツ形状のフィルターをファンＦの下であって、モータＭの下方外周に配置固定することにより、ファンＦにより引き込まれる室内空気を無駄なくフィルターに通すことができ、浄化性能が向上する。活性炭フィルター１０には図１１のように不織布に消臭効果、殺菌効果、除湿効果等のある活性炭や浄化剤１６が織り込まれたものや付着されたもの、或いは、メッシュ内には浄化剤が収容され、そのメッシュの表裏両面に不織布とか他の生地を貼り付けて浄化剤を挟み込んだもの等が適する。この活性炭フィルター１０もリング状にしてある。プレフィルター１２には汎用のフィルターを使用することができる。フィルター１０、１１、１２は交換できるように脱着可能としてある。
【００２３】
［防護ネット］
図３の防護ネット９は、下シェード２の内部に配置固定されるフィルター１０、１１、１２を保護するものであり、それらフィルターと同様にリング状であり、下シェード２の内側であってシェードアダプター８の内部空間８ａの中に配置してある。防護ネット９はフィルター交換や、他のメンテナンス時に、それら作業をする人をファンの回転から保護する役目もある。
【００２４】
［下シェードによる被覆］
下シェード２はフィルターの下から上シェード１に対向配置して、両シェード１、２の収容空間１ｂ、２ｂ内に、ベース３、ベース板１５、ファンＦ、モータＭ、ＬＥＤモジュール７、シェードアダプター８、防護ネット９、フィルター１０、１１、１２、を被覆してある。下シェード２と上シェード１はベース３（図３）の排気路３ｃが、両シェード１、２間に露出するように上下に間隔をあけて対向配置固定して、ファンＦから送出される清浄空気が流出する排気路３ｃ（図６〜図８）が確保されるようにしてある。排気路３ｃは上シェード１と下シェード２の周方向四箇所にあり、上シェード１と下シェード２の外側に向けて開口している。排気路３ｃの数は四箇所より多くても少なくてもよいが、上シェード１と下シェード２の周方向全周から略均等に噴出されるようにするのが望ましい。
【００２５】
上シェード１は前記上方連結突起１８（図１３）の上連結片１８ａの上に載せて螺子止めされており（図６）、下シェード２は前記放熱板２５（図７）に螺子止めされた金具と、放熱板２５の間に挟み込んで固定してある。
【００２６】
［フィルターカバー］
図３のフィルターカバー１３はフィルター１０、１１、１２を保護するものであ、下シェード２の内側に収容配置されている。フィルターカバー１３には小孔（空気取り入れ口）１３ａが多数開口されている。
【００２７】
［リモコンセンサー］
フィルターカバー１３の内側にはインジケーター、リモコンセンサー、その他、本発明の空気清浄機能付き照明器具に必要な他の機器が装備されている。リモコンセンサー１４はリモコンからの信号を受けてモータＭやファンＦの回転駆動や停止、ＬＥＤの点灯や消灯等の電源操作を行うものである。
【産業上の利用可能性】
【００２８】
前記した実施形態は本発明の空気清浄機能付き照明器具の一例である。本発明は、課題を解決可能な限り、他の形状、構造、材質、性能等とすることができる。また図３に示すような部品以外の部品を付加してもよく、図示した部品を取外すこともできる。
【符号の説明】
【００２９】
１      上シェード
１ａ    （上シェードの）上貫通口
１ｂ    （上シェードの）収容空間
１ｃ    （上シェードの）下面
２      下シェード
２ａ    （下シェードの）上面
２ｂ    （下シェードの）収容空間
２ｃ    （下シェードの）下貫通口
３      ベース
３ａ    （ベースの）凸部
３ｂ    （ベースの）収容凹部
３ｃ    （ベースの）排気路
７      ＬＥＤモジュール
８      シェードアダプター
８ａ    内部空間
９      防護ネット
１０    第一のフィルター
１１    第二のフィルター
１１ａ  フィルター本体
１１ｂ  外枠
１１ｃ  内枠
１２    第三のフィルター
１３    フィターカバー
１３ａ  空気取り入れ口（小孔）
１４    リモコンセンサー
１５    ベース板
１６    ベース板治具
１７    嵌合凹部
１８    上方連結突起
１８ａ  上連結片
１９    下方連結突起
１９ａ  下連結片
２０    天井側治具
２１    嵌合部
２２    鍔
２３    係止突起
２５    放熱板
２６    電源
２７    制御基板
Ｆ      ファン
Ｆ１    フレーム
Ｆ２    羽根
Ｆ３    収容空間
Ｍ      モータ
Ｍ１    連結金具
Ｍ２    突当て板
【図１】
2020004664.tif 000003
【図２】
2020004664.tif 000004
【図３】
2020004664.tif 000005
【図４】
2020004664.tif 000006
【図５】
2020004664.tif 000007
【図６】
2020004664.tif 000008
【図７】
2020004664.tif 000009
【図８】
2020004664.tif 000010
【図９】
2020004664.tif 000011
【図１０】
2020004664.tif 000012
【図１１】
2020004664.tif 000013
【図１２】
2020004664.tif 000014
【図１３】
2020004664.tif 000015
【図１４】
2020004664.tif 000016
【図１５】
2020004664.tif 000017
【図１６】
2020004664.tif 000018
【図１７】
2020004664.tif 000019
【図１８】
2020004664.tif 000020
【図１９】
2020004664.tif 000021